(57)【要約】【課題】  透過原稿の画像読取装置に用いる照明光源として、小型で消費電力が小いものを用いて、且つ複数の画像をユーザの煩雑な操作を必要としないで読取ることができる画像読取装置を提供する。【解決手段】  複数の画像を有する透過原稿のうちの１つの画像を照明する大きさの面状の照明光源を、各画像を照明する位置に順次移動させる。各画像の位置では停止して、その画像の読取りを行う。また、各画像の位置では、透過原稿を画像読取装置の原稿台に押圧する。【選択図】  図６
2006025407.tif 000002
【特許請求の範囲】
【請求項１】
透明原稿台に載置された複数の画像を有する透過原稿を、前記透明原稿台とは反対の面から面状照明ユニットにて照明し、前記透明原稿台を介して読取部を第１の駆動手段で走査移動して読取る画像読取装置において、
前記面状照明ユニットは前記複数の画像のうちの一つの画像領域を包含する大きさの領域を照明する面状の照明領域を有し、
前記透過原稿の複数の画像のうちの一つの画像の読取りの開始から終了までの間は、前記一つの画像の全面を照明する位置で前記面状照明ユニットを静止状態に維持し、前記読取り終了後に、前記透過原稿の複数の画像のうちの他の一つの画像全面を照明する位置まで前記面状照明ユニットを移動させる第２の駆動手段を有することを特徴とする画像読取装置。
【請求項２】
前記画像読取装置は、さらに、前記面状照明ユニットにて前記透過原稿を前記透明原稿台に付勢する付勢手段を有し、
前記第２の駆動手段により前記面状照明ユニットを移動させる場合には、前記付勢手段による付勢を解除する付勢制御手段を有することを特徴とする請求項１に記載の画像読取装置。
【請求項３】
前記画像読取装置は、さらに、前記第１の駆動手段と第２の駆動手段を選択的に駆動する駆動回路を有することを特徴とする請求項１に記載の画像読取装置。
【請求項４】
画像読取装置の透明原稿台に載置された複数の画像を有する透過原稿を、前記透明原稿台とは反対の面から面状照明ユニットにて照明する照明装置において、
前記面状照明ユニットは前記複数の画像のうちの一つの画像領域を包含する大きさの領域を照明する面状の照明領域を有し、
前記画像読取装置による前記透過原稿の複数の画像のうちの一つの画像の読取りの開始から終了までの間は、前記一つの画像の全面を照明する位置で前記面状照明ユニットを静止状態に維持し、前記読取り終了後に、前記透過原稿の複数の画像のうちの他の一つの画像全面を照明する位置まで前記面状照明ユニットを移動させる移動手段を有することを特徴とする照明装置。
【請求項５】
前記面状照明ユニットは、前記移動の方向と垂直な方向に前記透明原稿の画像を複数並べて照明する大きさの照明領域を有することを特徴とする請求項４に記載の照明装置。
【請求項６】
前記照明装置は、さらに、前記面状照明ユニットと前記透過原稿との間に、前記透過原稿が有する複数の画像を覆う光拡散板を有することを特徴とする請求項４に記載の照明装置。
【請求項７】
前記照明装置は、さらに、前記面状照明ユニットにて前記透過原稿を前記透明原稿台に付勢する付勢手段を有し、
前記移動手段により前記面状照明ユニットを移動させる場合には、前記付勢手段による付勢を解除する付勢制御手段を有することを特徴とする請求項４に記載の照明装置。
【請求項８】
前記面状照明ユニットは、前記移動手段の駆動源を搭載することを特徴とする請求項４に記載の照明装置。
【請求項９】
前記面状照明ユニットは、前記付勢手段の付勢の有無を切換駆動する駆動源を搭載することを特徴とする請求項７に記載の照明装置。
【請求項１０】
前記面状照明ユニットの移動に連動して前記付勢手段が作動することを特徴とする請求項７に記載の照明装置。
【請求項１１】
前記面状照明ユニットは、可視光源と赤外光源を搭載することを特徴とする請求項４に記載の照明装置。
【請求項１２】
前記面状照明ユニットは、３色以上の異なる波長の複数の半導体光源を搭載することを特徴とする請求項４に記載の照明装置。
【請求項１３】
透明原稿台に載置された複数の画像を有する透過原稿を、前記透明原稿台とは反対の面から面状照明ユニットにて照明し、前記透明原稿台を介して読取部を走査移動して読み取る画像読取装置の制御方法で、
前記透過原稿が有する一つの画像全面を、前記一つの画像領域を包含する照明領域を有する面状照明ユニットが静止状態で照明し、前記読取部にて読み取る工程と、
前記面状照明ユニットを、前記複数の画像のうちの他の一つの画像全面を照明する位置に移動する工程とを有し、
所定数の前記読み取る工程が終了するまで、前記読み取る工程と前記移動する工程を繰り返すことを特徴とする画像読取装置の制御方法。
【請求項１４】
前記読み取る工程においては、さらに、前記面状照明ユニットにて前記透過原稿を前記透明原稿台に付勢し、
前記移動する工程においては、前記付勢を解除することを特徴とする請求項１３に記載の画像読取装置の制御方法。
【請求項１５】
前記所定数は、前記透過原稿が有する画像の数であることを特徴とする請求項１３に記載の画像読取装置の制御方法。
【請求項１６】
前記複数の画像を有する透過原稿から読取る画像を指定する読取画像指定工程を有することを特徴とする請求項１３に記載の画像読取装置の制御方法。
【請求項１７】
前記所定数は、前記読取画像指定工程にて指定された前記原稿から読取る画像の数であることを特徴とする請求項１６に記載の画像読取装置の制御方法。
【請求項１８】
前記他の一つの画像は、前記読取画像指定工程にて指定された前記原稿から読取る画像のうちの他の一つの画像であることを特徴とする請求項１６に記載の画像読取装置の制御方法。
【請求項１９】
前記読取る工程は、可視光源と赤外光源とを有する前記照明ユニットにて前記透過原稿を照明し、前記透過原稿の有する画像の可視画像信号と赤外画像信号を得る画像読取工程であることを特徴とする請求項１３に記載の画像読取装置の制御方法。
【請求項２０】
前記可視画像信号と前記赤外画像信号とを処理して、前記可視画像信号のうち、前記透過原稿に存在する欠陥により生ずる欠陥画像信号を修正する欠陥情報修正工程を有することを特徴とする請求項１９に記載の画像読取装置の制御方法。
【請求項２１】
前記画像読取装置とコンピュータを接続して、請求項１３乃至２０の何れかに記載の制御方法を実行させるための、前記コンピュータで実行可能なプログラム。
【請求項２２】
前記コンピュータで読取可能な、請求項２１に記載のプログラムを記録した記録媒体。
【発明の詳細な説明】
【技術分野】
【０００１】
本発明は、写真フィルム等の透過原稿の画像情報を読取る画像読取装置及びそれに使用される照明装置に関するものである。
【背景技術】
【０００２】
従来、透過原稿を面状固定光源で照射し、その画像を読取る画像読取装置があった（特許文献１参照）。図１０を用いてこの画像読取装置に関して説明する。
【０００３】
図１０（ａ）は画像読取装置の断面図、図１０（ｂ）は斜視図である。画像読取装置１２０の原稿台ガラス１２１の上に、透過原稿光源１２７が配置されている。導光板１２８は、その端部に棒状の蛍光管１２９が取り付けられ、原稿を載置する原稿台ガラス１２１に対して水平になるよう配置されている。導光板１２８は、樹脂製の光拡散パネルであり、蛍光管１２９から入射された光を原稿側の面から一様に出射するように構成されている。
【０００４】
原稿台ガラス１２１は、写真のフィルム等の透過原稿を載置する原稿台であり、原稿台ガラス１２１上に載置された透過原稿は、導光板１２８と原稿台ガラス１２１とに挟み込まれることによって固定される。ＣＣＤ１２２は、ライン状の撮像素子であり、画像情報を電気的な画像信号に変換するためのものである。ロッドレンズアレイ１２３は、ＣＣＤ１２２へ透過原稿の画像を光学的に結像するためのものである。
【０００５】
キャリッジ１２４は、ＣＣＤ１２２とロッドレンズアレイ１２３とを搭載し、ガイド１２５、１２６に沿って副走査方向に移動可能に構成されている。導光板１２８を用いて、透過原稿全面を照明し、透過原稿の画像情報をロッドレンズアレイ１２３を介してＣＣＤ１２２によって読取る。そしてキャリッジ１２４を副走査方向に移動させることで、透過原稿全体の画像を読取る。
【０００６】
また、透過原稿を線状移動光源で照射し、その画像を読取る画像読取装置があった（特許文献２参照）。図１１を用いてこの画像読取装置に関して説明する。図中１３６は光電変換手段として機能し、走査された画像情報を電気信号に変換するＣＣＤなどのイメージセンサで、画像読取装置本体１３０内に配設されている。装置本体１３０上面には透明な原稿載置台としての原稿載置ガラス１３１が設けられ、この表面に載置した原稿Ｐを走査手段としての画像走査光学系１３２によって走査して、上記イメージセンサ１３６上に画像情報を露光する。イメージセンサ１３６内にはＲ（レッド），Ｇ（グリーン），Ｂ（ブルー）のフィルタを装着した３列のセンサが配設されており、原稿上の画像を色分解して読取る。上記画像走査光学系１３２は、原稿載置ガラス１３１に平行に移動走査するランプユニット１３３とミラーユニット１３４、および装置本体１３０内に固定載置されたレンズ１３５により構成されている。ランプユニット１３３は原稿Ｐを照明する白色光源Ｌ１と、光源Ｌ１によって照明された原稿Ｐ面の画像反射光をミラーユニット１３４側に反射する第１のミラーＭ１を備えている。ミラーユニット１３４は第１のミラーＭ１によって反射された画像光をイメージセンサ１３６に向けて折り返す第２，第３ミラーＭ２，Ｍ３により構成されている。尚、画像読取り領域全域において光路長を一定に保つべく、ランプユニット１３３はミラーユニット１３４の２倍の速度で移動走査する。このため本構成の走査光学系は通常２：１走査光学系と呼ばれる。そしてこれらのユニットはパルスモーターなどの駆動源（図示せず）を動力として、イメージセンサ１３６の読取り周期と同期して走査（副走査）する。１３７は透過原稿読取り用の照明手段としての透過原稿読取用光源ユニットである。Ｌ２は本体の光源Ｌ１に対し平行に配設された光源、１３８は本体の原稿台ガラスに対向する位置に設けられた光拡散作用を持つ半透明板である。透過原稿読取用光源ユニット１３７は、画像読取装置の後端に装着されたヒンジ１３９を支点として開閉可能である。
【０００７】
透過原稿の読取り時には、光源Ｌ２は駆動源（図示せず）により、原稿台ガラス１３１をカバーする範囲を、半透明板１３８に平行に、本体の画像走査光学系１３２と同期して走査する。この際本体の光源Ｌ１は消灯している。光源Ｌ２からの光は半透明板１３８中で拡散されて原稿面上に図６（ｂ）のような配向分布をもたらす（図６（ｂ）は図６（ａ）のＤ１を拡大している）。このうち画像読取装置本体の読取位置からイメージセンサ１３６に至る光軸上にある光が、図中Ｐの位置に置かれた原稿を透過してイメージセンサ１３６に導かれる。
【０００８】
また、図１２に示すような、フィルム上の画像１コマ分の領域を照明する面光源を、画像読取装置のフィルム上の画像の位置にユーザの手により配置して、照明された１コマの画像を読取る画像読取装置がある（参考文献３参照）。上記画像読取装置１４０は原稿台１４１上に透過原稿１４２の幅と長さの隙間を持ったフィルムホルダ１４３を設置し、その隙間に透過原稿１４２を設置し、その上から透過原稿照明ユニット１４４にて押し付けた状態で画像読取部１４５が走査することによって読取りが行われる。
【０００９】
さらに、フィルムなど透過原稿上に存在するゴミやキズを検知し補正する技術に用いる光源も提案されている（特許文献４参照）。
【００１０】
一般的なフィルムは、現像された撮影済みのロールフイルムが、連続した複数のコマを有する形に切断されている。上記方式では一コマの読取りが終了するたびに使用者が透過原稿照明ユニット１４４を別のコマの位置に移動させ読取りを再開しなければならない。読取るフィルムのコマ数が増えるに従い、その回数が増え使用者にとって大変煩雑な作業となっていた。
【特許文献１】特開平１−１０１０６３号公報
【特許文献２】特許第３４２８８２１号公報
【特許文献３】特開２００４−００７５４７号公報
【特許文献４】特開２００１−２９８５９３号公報
【発明の開示】
【発明が解決しようとする課題】
【００１１】
市場の要望によりフィルムの読取範囲の大型化や読取速度の高速化の要求がある。面状固定光源を用いた画像読取装置については、照射面積の大型化に伴い、ランプ本数やＬＥＤ光源の増加が必要となる。それらは必然的に導光体ユニット自体の重量、消費電力の増加やコストアップになる。さらにランプの長さ延長によるウォームアップ時間の増加となる。
【００１２】
また、線状移動光源を用いた画像読取装置は、読取の高速化に伴い、光源とイメージセンサとの同期した移動にさらに高精度な駆動装置が必要になる。
【００１３】
また、ＬＥＤ等の点光源を均一性の高い状態で照射するためには非常に多くのＬＥＤを設置しなければならない。これらの理由により高価で制御の複雑な装置となる。
【００１４】
また、フィルム１コマ分を照明する面光源を用いた画像読取装置では、１コマずつユーザの手により配置する必要があった。
【００１５】
本発明は、上記の問題点を考慮してなされたものであり、高精度の部品や制御を必要としないで、且つ消費電力のピークを押さえ、ユーザの操作性の良い画像読取りを行うことを目的とする。
【課題を解決するための手段】
【００１６】
上記目的を達成するために、本発明は次のような構成を有する。
【００１７】
〔１〕透明原稿台に載置された複数の画像を有する透過原稿を、前記透明原稿台とは反対の面から面状照明ユニットにて照明し、前記透明原稿台を介して読取部を第１の駆動手段で走査移動して読取る画像読取装置において、
前記面状照明ユニットは前記複数の画像のうちの一つの画像領域を包含する大きさの領域を照明する面状の照明領域を有し、
前記透過原稿の複数の画像のうちの一つの画像の読取りの開始から終了までの間は、前記一つの画像の全面を照明する位置で前記面状照明ユニットを静止状態に維持し、前記読取り終了後に、前記透過原稿の複数の画像のうちの他の一つの画像全面を照明する位置まで前記面状照明ユニットを移動させる第２の駆動手段を有することを特徴とする画像読取装置。
【００１８】
〔２〕画像読取装置の透明原稿台に載置された複数の画像を有する透過原稿を、前記透明原稿台とは反対の面から面状照明ユニットにて照明する照明装置において、
前記面状照明ユニットは前記複数の画像のうちの一つの画像領域を包含する大きさの領域を照明する面状の照明領域を有し、
前記画像読取装置による前記透過原稿の複数の画像のうちの一つの画像の読取りの開始から終了までの間は、前記一つの画像の全面を照明する位置で前記面状照明ユニットを静止状態に維持し、前記読取り終了後に、前記透過原稿の複数の画像のうちの他の一つの画像全面を照明する位置まで前記面状照明ユニットを移動させる移動手段を有することを特徴とする照明装置。
【００１９】
〔３〕透明原稿台に載置された複数の画像を有する透過原稿を、前記透明原稿台とは反対の面から面状照明ユニットにて照明し、前記透明原稿台を介して読取部を走査移動して読取る画像読取装置の制御方法で、
前記透過原稿が有する一つの画像全面を、前記一つの画像領域を包含する照明領域を有する面状照明ユニットが静止状態で照明し、前記読取部にて読取る工程と、
前記面状照明ユニットを、前記複数の画像のうちの他の一つの画像全面を照明する位置に移動する工程とを有し、
所定数の前記読取る工程が終了するまで、前記読取る工程と前記移動する工程を繰り返すことを特徴とする画像読取装置の制御方法。
【発明の効果】
【００２０】
本発明によれば、透過原稿を読取る画像読取装置において、小型の面状照明ユニットを用いることができ、装置全体を小さくまとめることができる。さらに、複数の画像の位置を順次移動することでユーザの煩雑な操作を必要とすることなく、複数の画像を読取ることができる。また、透過原稿を原稿台に押圧付勢することで、画像全体に焦点の合った読取画像を得ることができる。さらに、小型の面状照明ユニットを用いて、複数の画像を順次自動で読取ることができる。さらに、小型の面状照明ユニットに可視光の光源と共に赤外光の光源を搭載することにより、透過原稿のゴミや傷を検出して、読取画像からゴミや傷の影響を取り除く処理を行うこともできる。
【発明を実施するための最良の形態】
【００２１】
図１から図１０を用いて本発明の画像読取装置について説明する。なお、各図面で他の図面と同じものは、説明を省いている。
【００２２】
（第１の実施形態）
図１は本実施形態の画像読取装置の上面図（ａ）並びに側面図（ｂ）である。図１上面図（ａ）に示すように画像読取装置１には、現像剤写真フィルム等の透過原稿を読取るために、原稿台ガラス６の上に５０の透過原稿ユニットＡがヒンジ７で開閉可能に設置されている。５０の透過原稿ユニットＡには、バックライトユニット５２、バックライト駆動用基板６０が搭載されたバックライトキャリッジ５１が透過原稿ユニット用シャフト４０を介して設置されている。また、バックライトキャリッジ５１は透過原稿ユニット用駆動ユニット４１とタイミングベルト４２にも接続されており、バックライトユニット５２により透過原稿フィルム３０（３０−１〜３０−４）上を照明しながら平行移動が可能である。
【００２３】
５０の透過原稿ユニットＡには透過原稿ユニット用回路基板４３が固定されており、画像読取装置１と本体接続ケーブル４４を介しての通信を行う。透過原稿ユニット用回路基板４３はさらに図示しない接続ケーブルを介して透過原稿ユニット用駆動ユニット４１やバックライト駆動用基板６０の制御を行う。また、透過原稿ユニット用回路基板４３はバックライトキャリッジ５１のホームポジションを検出するセンサ４５を有する。
【００２４】
画像読取装置１は、コンピュータへの画像の入力機器として用いられ、コンピュータにＵＳＢ等のインターフェースで接続され、コンピュータの操作部、表示部を介したユーザからの指示に基づいて画像の読取走査を行う。また、画像読取装置の操作部（図示せず）から指示することもできる。
【００２５】
図１側面図（ｂ）に示すように画像読取装置１は、反射原稿用光源１２、第一ミラーから第四ミラー１３、１４、１５、１６、レンズ１７、光路長補正ガラス１８そしてＣＣＤカラーラインセンサ１９を有する縮小光学系のキャリッジ１１が本体側駆動ユニット３によって副走査方向に平行移動可能である。画像読取装置１には本体側回路基板２が固定されており、本体側駆動ユニット３、縮小光学系のキャリッジ１１や５０の透過原稿ユニットＡに対して図示しない接続ケーブルを介して制御を行う。
【００２６】
図２は、バックライトユニット５２の概略斜視図、バックライトユニット５２は、導光板５６、蛍光灯やキセノンランプ等の透過原稿読取用ランプ５３、赤外域のみを発光するＬＥＤ５４を複数有するゴミキズ検知用ＬＥＤ基板５５とから構成されている。前記透過原稿読取用ランプ５３とゴミキズ検知用ＬＥＤ基板５５とが導光板５６の平行する別々の面にそれぞれ配置されている。また、前記導光板５６には入射光を導光してほぼ面状に照明光を出射させるように複数の溝によって形成された導光パターン５９を有する。また、前記透過原稿読取用ランプ５３とゴミキズ検知用ＬＥＤ基板５５の間に反射シート５７が挿入されており、さらに効率良く赤外光を導光体に導くことが可能である。バックライトユニット５２は光を照射する領域以外が反射シート５８で包まれており、その面状照明領域よりほぼ均一な光量分布を持った面状光３８を照射することが可能である。なお本実施例において、バックライトユニット５２の面状照明領域の副走査方向の一辺の長さは３５ｍｍフィルム一コマの画像領域の長手幅よりもやや大きい幅になるように作られており、画像読取装置へのフィルムの設置位置の誤差、フィルム上の画像領域の位置の誤差やバックライトキャリッジ５１の停止位置の誤差があっても、フィルムの一コマの画像領域を十分に包含して照明できる。また、バックライトユニット５２の面状照明領域の主走査方向の一辺の長さは、３５ｍｍフィルムを４本並べた時の４つの画像領域を十分に包含する幅である。
【００２７】
図１にて実際の画像読取りの作業を説明する。ここで読取の対象となる透過原稿４０（ここでは３５ｍｍフィルム）は画像読取装置１の原稿台ガラス６上に直接、もしくはガイド（不図示）に固定された状態で設置される。
【００２８】
バックライトユニット５２は透過原稿読取用ランプ５３を点灯した状態で初期待機位置より透過原稿３０の一コマ目の画像領域３１の中心であるＢ０１の位置へ移動した後静止する。
【００２９】
縮小光学系のキャリッジ１１は、センサ４５で検出される初期待機位置より、第一ミラー１３への入射光の読取り位置が画像領域３１の開始位置であるＣ０１の位置まで移動し、さらに画像領域３１の終了位置であるＣ０２の位置まで移動する。その移動の間、バックライトユニット５２から照射された面状光３８は透過原稿３０を透過し、ミラー１３、１４、１５、１６、レンズ１７、光路長補正ガラス１８を経てＣＣＤカラーラインセンサ１９に到達し、出力信号に変換される。出力信号は本体側回路基板２に転送され画像情報に変換された後、順次インターフェイスケーブル５を介してコンピュータなどの機器に出力する。この一連の作業により画像領域３１の画像情報を読取ることが出来る。
【００３０】
縮小光学系のキャリッジ１１が画像領域３１の終了位置であるＣ０２に到達し、画像情報を転送している時間に、バックライトキャリッジ５１の中心を次の画像領域３２上の中心であるＢ０２の位置まで移動させる。バックライトキャリッジ５１が静止し、画像領域３１を読取った画像情報の転送が終了したところで縮小光学系のキャリッジ１１をＣ０１の位置から画像領域３２の終了位置であるＣ０３の位置まで移動しながら画像領域３１の画像情報を読取る。同様の作業を画像領域３３、画像領域３４、画像領域３５そして画像領域３６に対して繰り返すことによってそれぞれの画像情報を読取ることが出来る。
【００３１】
次に、光源をＬＥＤ５４の点灯に切り替えて同様の作業を繰り返すことで画像領域３１から３６の赤外線画像情報を読取ることが出来る。
【００３２】
本実施形態を用いることにより、バックライトキャリッジ５１と縮小光学系のキャリッジ１１を交互に動かすため、同時に両ユニットを動かす場合と比較して、移動に要するピーク時の消費電力を約半分で動作することが出来る。
【００３３】
また、静止した面状の光源の下で画像読取りを行うため、高精度の同期駆動の必要が無く、簡単な制御で光量ムラのない良好な画像を得ることが出来る。
【００３４】
さらに、同じ副走査方向６コマの画像を読取る場合でも、副走査方向に読取可能範囲６コマ分の大きさを必要とする面状固定光源の装置と比較して、およそ一コマ分の狭い範囲の面状光源しか必要としないため、同じ消費電力で比較すると単位面積あたりの光量を増加させることができ、読取速度が向上する。
【００３５】
（第２の実施形態）
図３の画像読取装置の上面図（ａ）と側面図（ｂ）、図４の概略図により、本発明の第２の実施形態について説明する。第１の実施形態ではバックライトユニット５２の光源として、透過原稿読取用ランプ５３とＬＥＤ５４を用いていたが、本実施形態では、光源として、赤色ＬＥＤ７３、緑色ＬＥＤ７４、青色ＬＥＤ７５そして赤外ＬＥＤ７６を有し、導光板で面状に導光するＬＥＤバックライトユニット７２を用い、ＬＥＤバックライトキャリッジ７１にて副走査方向に移動する。また、第１の実施形態では、５０の透過原稿ユニットを透過原稿ユニットＡとして、画像読取装置１の上に配置したが、ここでは、７０の透過原稿ユニットＢとして、反射原稿圧板４と画像読取装置１の原稿台ガラス６との間に配置する。
【００３６】
さらに、第１の実施形態では、画像読取装置１の原稿読取部には、縮小光学系のキャリッジ１１を用いていたが、本実施形態では、赤、緑、青の３色のＬＥＤとＬＥＤからの光を原稿上に線状に導光する導光体とにより構成される反射原稿用ＬＥＤ光源と、円筒レンズアレイ２４と、モノクロラインセンサ２５を有する密着型イメージセンサ（以下ＣＩＳと記す）を搭載するＣＩＳキャリッジ２１を用いる。なお、３色のＬＥＤに対するモノクロラインセンサ２５の位置関係は、図４に限らす、モノクロラインセンサ２５の主走査方向を、これに直角にすることもできる。
【００３７】
読取の作業は第１の実施例と同様であるが、ＬＥＤバックライトユニット７２の各色ＬＥＤを線順次点灯することにより、さらに同時に必要とされる消費電力を低減させることが出来る。さらに薄型であるＣＩＳセンサとＣＩＳキャリッジ２１を用いることで装置全体の小型化が図れる。また、赤色ＬＥＤ７３、緑色ＬＥＤ７４、青色ＬＥＤ７５は白色ＬＥＤで代用することも可能であり、その場合は、モノクロラインセンサは、同時に３色の読取りができるものを用いる。
【００３８】
（第３の実施形態）
図５に本発明の第３の実施形態について説明する。第１並びに第２の実施形態では、６コマの３５ｍｍフィルム４本を並べて配置して読取るように、バックライトユニット１１とＬＥＤバックライトユニット７１の面状照明領域は、主走査方向の幅を３５ｍｍフィルム４本分を含む大きさ、副走査方向の幅を３５ｍｍフィルムの一コマの画像領域の長手幅をやや大きくした幅になるように作られている。本実施形態では、主走査方向の幅についても３５ｍｍフィルム一コマの画像領域の短手幅をやや大きくした幅に作られた小型ＬＥＤバックライトユニット８１を用いた、８０の透過原稿ユニットＣで構成さえる。
【００３９】
読取の作業は第１並びに第２の実施例と同様であるが、小型ＬＥＤバックライトユニット８１を用いることによりさらに消費電力を低減させ、ＵＳＢ給電など電力の限定された電源においても画像の読取が可能となる。
【００４０】
（第４の実施形態）
図６から図８を用いて本発明の第４の実施形態の画像読取装置について説明する。
【００４１】
図６は本実施形態の画像読取装置の上面図の図６（ａ）並びに側面図の図６（ｂ）である。図５で示した第３の実施形態と比べて、９０の透過原稿ユニットＤは、バックライトキャリッジ９１にバックライトユニット９２と走査用駆動ユニット１００とを搭載する自走式で、さらにバックライト付勢用ユニット１０５を搭載している。
【００４２】
透過原稿３０は画像読取装置１の原稿台ガラス６上に置かれたフィルムガイド９４の枠の範囲に置かれる。フィルムガイド９４にはさらに、ラック９５、ガイド溝９６が用意され、そのラック９５、ガイド溝９６上にバックライトキャリッジ９１を設置する。バックライトキャリッジ９１はラック９５、ガイド溝９６に沿って平行移動が可能である。
【００４３】
バックライトキャリッジ９１に固定された透過原稿ユニット用回路基板９３は画像読取装置１と本体接続ケーブル４４を介しての通信を行う。透過原稿ユニット用回路基板９３はさらに図示しない接続ケーブルを介してバックライトユニット９２と、図７で示す走査用駆動ユニット１００とバックライト付勢用ユニット１０５の制御を行う。バックライトユニット９２は、第２、第３の実施形態と同じで、ＬＥＤを光源に用いたものである。画像読取装置１は、第２、第３の実施形態と同じＣＩＳセンサを搭載したキャリッジ２１を用いている。
【００４４】
図７はバックライトキャリッジ９１の移動について説明した側面図である。走査用駆動ユニット１００は、駆動用モータ１０１、第１ギア１０２、第２ギア１０３そして第３ギア１０４で構成されている。図７（ａ）のように駆動用モータ１０１が矢印方向Ｍに回転する際、バックライトキャリッジ９１は前方Ａに移動する。図７（ｂ）の用に駆動モータ９５が矢印方向Ｍ’に回転する際、透過原稿ユニット９０は後方Ａ’に移動する。
【００４５】
図８はバックライトキャリッジ９１に搭載されたバックライトユニット９２の移動について説明した側面図である。
【００４６】
バックライト付勢用ユニット１０５はソレノイド１０６とアーム１０７で構成されバックライトユニット９２に接続されている。図８（ａ）のようにソレノイド１０６が矢印方向Ｓに伸びる際、バックライトユニット９２はアーム１０７を介して矢印方向Ｌに押し下げられる。図８（ｂ）のようにソレノイド１０６が矢印方向Ｓ’に縮む際にバックライトユニット９２はアーム１０７を介して矢印方向Ｌ’に押し上げられる。
【００４７】
バックライトキャリッジ９１はバックライト付勢用ユニット１０５によりバックライトユニット９２を持ち上げた状態で初期待機位置より透過原稿３０の一コマ目の画像領域３１上中心であるＢ０１の位置へ移動する。その後バックライト付勢用ユニット１０５でバックライトユニット９２を押し下げて透過原稿３０を付勢する。
【００４８】
ＣＩＳキャリッジ２１は初期待機位置より画像領域３１の開始位置であるＣ０１の位置まで移動し、読取りを行いながら画像領域３１の終了位置であるＣ０２の位置まで移動する。その移動の間、バックライトユニット１１は赤色ＬＥＤ７３、緑色ＬＥＤ７４、青色ＬＥＤ７５そして赤外ＬＥＤ７６を順次点灯し、照射された面状光３８は透過原稿３０を透過し、円筒レンズアレイ２４を経てＣＭＯＳセンサ２５に到達し、出力信号に変換される。
【００４９】
出力信号は本体側回路基板２に転送され画像情報に変換された後、順次インターフェイスケーブル５を介してコンピュータなどの機器に出力する。この一連の作業により画像領域３１の画像情報を読取ることが出来る。
【００５０】
ＣＩＳキャリッジ２１が画像領域３１の終了位置であるＣ０２に到達し、画像情報を転送している時間に、バックライトキャリッジ９１はバックライトユニット９２を再び押し上げることにより付勢を解除して、次の画像領域３２上中心であるＢ０２の位置まで移動する。
【００５１】
バックライトユニット９２が再び押し下げられ、画像情報の転送が終了したところでＣＩＳキャリッジ２１を画像領域３２の終了位置であるＣ０３の位置まで移動しながら画像情報を読取る。同様の作業を画像領域３３、画像領域３４、画像領域３５そして画像領域３６に対して繰り返すことによってそれぞれの画像情報を読取ることが出来る。
【００５２】
（第５の実施形態）
図９は透過原稿ユニットＥ１１０の第５の実施形態について説明した側面図である。透過原稿ユニットＥ１１０は、第四の実施形態のフィルムガイド９４のガイド溝９６に凹凸を設けた構成のフィルムガイド１１４とガイド溝１１６を用い、その上をバックライトユニット１１２に取り付けられた回転部材１１８が摺動する。バックライトユニット１１２は、第３の実施形態と同様のＬＥＤを用いたもので、バックライトユニット１１２に取り付けられた回転部材１１８はガイド溝１１６の凹凸に合わせ上下し、それに従いバックライトユニット１１２も上下する。本実施形態では最も凹の位置を透過原稿３０の画像領域３１〜３０に合わせ複数位置設ける。
【００５３】
３５ｍｍネガフィルムは通常６コマの連続したフィルムでカットされる。このフィルムに対応したフィルムガイド１１４では、各コマの中心に凹の位置を計６カ所設けることで、それぞれのコマの中心でフィルムを付勢することが可能である。それ以外の領域をバックライトキャリッジ１１１が移動する際には凸の位置を通るためバックライトユニット１１２は上方に退避し、バックライトユニット１１２でフィルム面を傷つけることを避けることが可能である。
【００５４】
（第６の実施形態）
図１３は本実施形態の画像読取装置３００に透過原稿ユニット３０３を載置した上面図（ａ）ならびに側面図（ｂ）である。本実施形態の画像読取装置と透過原稿ユニットは、上記の第４の実施形態に加えて、透過原稿である写真フィルムの６コマの画像を全て覆う光拡散板３０８を有し、キャリブレーション用に透過原稿を配置しない補正窓３１３を設ける。光拡散板は、補正窓３１３にも配置され、光拡散板３０８の上をバックライトユニットが移動する。バックライトユニットが写真フィルムを覆う光拡散板の上を移動するために、第４の実施形態のバックライト付勢用ユニットは、ここでは有しない。図１３上面図（ａ）に示すように画像読取装置３００には、写真フィルム等の透過原稿３０１を読取る場合に、原稿台ガラス３０２の上に透過原稿ユニット３０３が設置されている。透過原稿ユニット３０３には、赤色光、緑色光、青色光および赤外光を発する発光ダイオード（以下ＬＥＤとする）を備えた光源部３０４、光源部３０４からの照射光を面状に均一に導く導光部３０５、光源部３０４及び導光部３０５を副走査方向に移動させるための光源駆動部３０６、光源駆動部３０６に接触し光源部３０４及び導光部３０５を移動方向に誘導するため光源誘導部３０７、導光部３０５からの光を拡散して透過原稿３０１に照射するための光拡散板３０８、透過原稿３０１の画像領域外を原稿台ガラスに押圧し密着型イメージセンサの被写界深度以内に高さを抑えた原稿押圧部３０９、及び画像読取装置３００側に設けられた本体電気回路基板３１０からの駆動制御信号を光源部３０４、光源駆動部３０６に伝える透過原稿ユニット電気回路基板３１１を有する。光源駆動部３０６は、透過光源移動用モータ３１７を含む。なお、透過原稿３０１は原稿台ガラス３０２上に載置されたフィルムガイド３１２に沿って置かれる。フィルムガイド３１２には光源の配光ムラやイメージセンサの感度バラツキ等を補正するための補正窓３１３が設けられている。透過原稿ユニット３０３からの照射光は透過原稿介して画像情報としてＣＩＳ３１４で電気的な画像信号に変換される。ＣＩＳには、反射原稿用ＬＥＤが搭載されている。また、ＣＩＳは、ＣＩＳ駆動用モータ３１６により原稿面に沿って走査駆動される。
【００５５】
さらに、図１４に本実施形態の電気的な回路ブロック構成を示し図１５には、制御順序記述したフローチャートを示す。
【００５６】
以下に図１３〜図１５を用いて本実施形態の具体的な透過原稿読取動作を説明する。
【００５７】
本実施の形態の画像読取装置は、電源が投入されイニシャライズが完了すると図１４の外部装置４０６に格納されているソフトウエアのスキャナドライバからの命令を待つ。スキャナドライバを起動させるとまず図１５のステップＳ５０１にて原稿の種別判定を行う。原稿の種別判定には、原稿種別をユーザが入力する方法、原稿の一部を透過光、反射項で読取って判別する方法等が用いられる。ステップＳ５０１の結果、反射原稿である場合にはステップＳ５０２へ進み光源選択回路４０８により反射原稿用ＬＥＤが選択・制御される。
【００５８】
一方ステップＳ５０１の結果、透過原稿である場合にはステップＳ５０３に進み透過原稿用ＬＥＤが選択・制御される。
【００５９】
次にステップＳ５０４にて、光源の配光ムラやイメージセンサの感度バラツキなどを補正するためのキャリブレーションを実行するか否かを判断する。ユーザが特に実行を指示しない場合には、補正データが外部装置４０６に格納されているか否か、何度読取動作を実行したかなどによってキャリブレーション実行の要否を判断する。ステップＳ５０４にてキャリブレーション実行が選択されるとステップＳ５０５にてキャリブレーション動作を実行する。まず、図１４のモータ選択回路４０７にて透過光源移動用モータ３１７が選択され、図１３の光源駆動部３０６を駆動させて導光部３０５を補正窓３１３の位置Ｄ０まで移動させる。次にモータ選択回路４０７にてＣＩＳ移動用モータ３１６を選択し、光源同様ＣＩＳ３１４を補正窓３１３の位置Ｃ０まで移動させる。ここで各色ＬＥＤを順次点灯することで得られたデータを補正データとして記憶し利用する。
【００６０】
次にステップＳ５０６にてプリスキャンの開始の指示を待つ。ここで、プリスキャンを行うコマを指定することができる。ステップＳ５０６にてプリスキャンが開始が指示されるとステップＳ５０７にてプリスキャンを実行する。まず、図１４のモータ選択回路４０７にて透過光源移動用モータ３１７が選択され、図１３の光源駆動部３０６を駆動させて導光部３０５を１コマ目の画像を包含する位置Ｄ１まで移動させる。次にモータ選択回路４０７にてＣＩＳ移動用モータ３１６を選択し、ＣＩＳ３１４を１コマ目の先端位置Ｃ１まで移動させてから１コマ目の読取動作を開始する。読取手順は図１６のタイムチャートに示す様にＲ−ＬＥＤを点灯して透過原稿にＲ−ＬＥＤ光を照射し、読取原稿３０１の透過光をモノクロイメージセンサで蓄積する。１ラインの記憶時間が終了すると、次にＧ−ＬＥＤが点灯する。この間先ほど蓄積されたＲ色の主走査方向１ライン分の読取信号がモノクロイメージセンサより出力信号として出力される。以下同様にしてＢ−ＬＥＤが点灯している記憶時間中にＧ色の信号が出力、ＩＲ−ＬＥＤが点灯している記憶時間中にＢ色の信号が出力、Ｒ−ＬＥＤが点灯している記憶時間中にＩＲ成分の信号が出力され、線順次の出力信号として処理される。上記読取手順により取得したデータのうち、ＲＧＢの出力データを画像データとして処理し、ＩＲの出力データを原稿上のゴミ・キズの検知に使用してＲＧＢの画像データから演算することにより、１回の読取動作でゴミ・キズを除去した良好な画像を得ることができる。次に、読み取り画像データ処理の流れを図１４を用いて説明する。ＡＦＥ４０２はＣＩＳ４０１より出力された電気信号にアンプ増幅、ＤＣオフセット補正、Ａ／Ｄ変換等の処理を行い、最終的に例えば１６ビットのディジタル画像データを出力するようなアナログ・フロントエンド・プロセッサである。シェーディング補正回路４０３は、図１５のステップＳ５０５で求めた直接透過原稿光源のデータをシェーディング補正データとして記憶し、この補正データに基づいて読取原稿を読取って生成した画像データの補正を行う。なお、シェーディング補正データはデータ取得後外部装置４０６に記録し、スキャンする際に必要なデータを本実施形態の画像読取装置にダウンロードして処理を行う。画像処理回路４０４は、ガンマ変換処理や外部装置４０６からあらかじめ設定された画像読取モード（２値，２４ビット多値など）に従ったパッキング処理等の画像データに対して所定の処理を行う。インターフェース回路４０５は、パーソナルコンピュータなどの本実施形態に係る画像読取装置のホスト装置となる外部装置４０６との間でコントロール信号の受容や画像信号の出力を行う。外部装置４０６はホストコンピュータであり、画像読取装置を制御するためのソフトウエアであるスキャナドライバを有している。外部装置４０６は画像読取装置と一体となって画像処理システムを構成する。
【００６１】
スキャナドライバは、ユーザに対して画像読取モードの指定をしたり、解像度指定、読取範囲の指定を行うためのユーザインタフェースを有し、各指定に基づくコントロール信号を画像読取装置に対して前述のインターフェース回路４０５を介して送信したり、読取開始命令等を送信する。また、スキャナドライバは画像読取装置が前記コントロール信号に従って読取った画像データを順次処理して画面表示を行うものである。
【００６２】
次にステップＳ５０８にて指定されているコマ数に対応したライン数分の読取りが終了したか判断を行う。その結果指定ライン分の読取りが終了していない場合にはコンタクトイメージセンサ３１４を副走査方向に１ライン分移動させ、ＲＧＢ各色の信号を読取る。なお、指定されているライン数がたとえば１コマ目と２コマ目の場合には、１コマ目の読取り終了後一度ＣＩＳ移動用モータを停止し、透過原稿ユニット内導光部３０５を２コマ目の位置Ｄ２まで移動させて読取り動作を再開する。
【００６３】
ステップＳ５０８にて指定ライン分の読取りが終了した場合には結果を外部装置４０６に接続されているモニタにより表示し、ステップＳ５０９の本スキャン開始の命令を待つ。
【００６４】
ステップＳ５０９にて本スキャンが開始されるとステップＳ５１０にて指定されたコマ及び読取解像度に応じたデータ処理を行う。ステップＳ５１１にて指定されているライン分の読取りが終了した判断し、指定ライン分読み込まれていれば本スキャンを終了する。
【００６５】
（その他の実施形態）
上記の説明では、面状光源の大きさとして、複数の画像のうちの１つの画像を包含する大きさとして説明した。ところで、所謂３５ｍｍフィルムは、通常６コマ毎に切断されている。面状光源の長手方向の大きさは、画像の長さ３６ｍｍと画像間の約２ｍｍのばらつき、５箇所の画像間の約２ｍｍのばらつきの積算、フィルムの設置位置のずれを考慮すると、画像の長さの約１．５倍の５６ｍｍ前後の長さとするのが好ましい。２倍の７２ｍｍ以上に長過ぎると暗くなり、両側のコマ間を含む４０ｍｍ以下に短過ぎると、ばらつきやずれを包含できなくなる。
【００６６】
また、上記第１と第２の実施形態では、２４コマの画像を同時に設置でき、第３から第５の実施形態では、６コマの画像を同時に配置できる。画像読取装置に接続したコンピュータのユーザインタフェースを用いて、これら複数コマの画像のうち、読取る画像を指定することができる。この指定に基づいて、画像読取装置は指定された画像を順次自動で読取る様に制御することができる。
【図面の簡単な説明】
【００６７】
【図１】本発明の第１の実施形態を説明する図。
【図２】本発明の第１の実施形態のバックライトユニットの概略斜視図。
【図３】本発明の第２の実施形態を説明する図。
【図４】本発明の第２の実施形態のＬＥＤバックライトユニットの概略斜視図。
【図５】本発明の第３の実施形態を説明する図。
【図６】本発明の第４の実施形態を説明する図。
【図７】本発明の第４の実施形態のバックライトキャリッジの副走査方向移動を説明する図。
【図８】本発明の第４の実施形態のバックライトユニットの上限移動構成を説明する図。
【図９】本発明の第５の実施形態のバックライトキャリッジの副走査方向移動とバックライトユニットの上下移動構成を説明する図。
【図１０】面光源の従来技術を説明する図。
【図１１】線状移動光源の従来技術を説明する図。
【図１２】小型面光源の従来技術を説明する図。
【図１３】本発明の第６の実施形態を説明する図。
【図１４】本発明の第６の実施形態の電気回路のブロック図。
【図１５】本発明の第６の実施形態の制御のフローチャート。
【図１６】本発明の第６の実施形態のＬＥＤの点灯制御を説明する図。
【符号の説明】
【００６８】
１  画像読取装置
２  本体側メイン基板
３  本体側駆動ユニット
４  反射原稿圧板
５  インターフェイスケーブル
６  原稿台ガラス
１１  縮小光学系のキャリッジ
１２  反射原稿用光源
１３  第一ミラー
１４  第二ミラー
１５  第三ミラー
１６  第四ミラー
１７  レンズ
１８  光路長補正ガラス
１９  ＣＣＤカラーラインセンサ
２１  ＣＩＳキャリッジ
２２  ＣＩＳセンサ
２３  反射原稿用ＬＥＤ光源
２４  円筒レンズアレイ
２５  モノクロＣＭＯＳセンサ
３０  透過原稿
３１  画像領域
４０  透過原稿ユニット用シャフト
４１  透過原稿ユニット用駆動ユニット
４２  タイミングベルト
４３  透過原稿ユニット用メイン基板
４４  本体接続ケーブル
４５  ホームポジションを検出するセンサ
５１  バックライトキャリッジ
５２  バックライトユニット
５３  透過原稿読取用ランプ
５４  ＬＥＤ
５５  ゴミキズ検知用ＬＥＤ基板
５６  導光板
５７  反射シート
５８  反射シート
５９  導光パターン
６０  バックライト駆動用基板
７１  ＬＥＤバックライトキャリッジ
７２  ＬＥＤバックライトユニット
７３  赤色ＬＥＤ
７４  緑色ＬＥＤ
７５  青色ＬＥＤ
７６  赤外ＬＥＤ
９４  フィルムガイド
９５  ラック
９６  ガイド溝
１００  走査用駆動ユニット
１０１  駆動用モータ
１０２  第１ギア
１０３  第２ギア
１０４  第３ギア
１０５  バックライト付勢用ユニット
１０６  ソレノイド
１０７  アーム
３００  画像読取装置
３０１  透過原稿
３０２  原稿台ガラス
３０３  透過原稿ユニット
３０４  光源部
３０５  導光部
３０６  光源駆動部
３０７  光源誘導部
３０８  光拡散部
３０９  原稿押圧部
３１０  本体電気基板
３１１  透過原稿ユニット基板
３１２  フィルムガイド
３１３  補正窓
３１４  密着型イメージセンサ
４０１  密着型イメージセンサ
４０２  ＡＦＥ
４０３  シェーディング補正回路
４０４  画像処理回路
４０５  インターフェース回路
４０６  外部装置
４０７  モータ選択回路
４０８  光源選択回路
【図１】
2006025407.tif 000003
【図２】
2006025407.tif 000004
【図３】
2006025407.tif 000005
【図４】
2006025407.tif 000006
【図５】
2006025407.tif 000007
【図６】
2006025407.tif 000008
【図７】
2006025407.tif 000009
【図８】
2006025407.tif 000010
【図９】
2006025407.tif 000011
【図１０】
2006025407.tif 000012
【図１１】
2006025407.tif 000013
【図１２】
2006025407.tif 000014
【図１３】
2006025407.tif 000015
【図１４】
2006025407.tif 000016
【図１５】
2006025407.tif 000017
【図１６】
2006025407.tif 000018